Podtech/llm-jp-corpus-v4-ja_patent huggingface dataset:
【手続補正書】
【提出日】平成24年5月11日(2012.5.11)
【手続補正１】
【補正対象書類名】特許請求の範囲
【補正対象項目名】全文
【補正方法】変更
【補正の内容】
【特許請求の範囲】
【請求項１】
ゲノムが内因性ＧＰＲ１０１遺伝子内に破壊を含むトランスジェニックノックアウト非ヒト哺乳動物。
【請求項２】
前記破壊が、胚幹細胞内で、ＤＮＡ標的化コンストラクトとの相同組換えによって前記ゲノムに導入されている、請求項１に記載のトランスジェニック非ヒト哺乳動物。
【請求項３】
前記ＧＰＲ１０１遺伝子の破壊の結果、前記トランスジェニック非ヒト哺乳動物は、検出可能なレベルのＧＰＲ１０１を生成することができない、請求項１に記載のトランスジェニック非ヒト哺乳動物。
【請求項４】
ゲノムが、前記内因性ＧＰＲ１０１遺伝子内に破壊を含む、トランスジェニックノックアウト非ヒト哺乳動物に由来する単離細胞。
【請求項５】
前記破壊が、胚幹細胞内で、ＤＮＡ標的化コンストラクトとの相同組換えによって前記ゲノムに導入されている、請求項４に記載の単離細胞。
【請求項６】
前記ＧＰＲ１０１遺伝子の破壊の結果、前記マウスは、検出可能なレベルのＧＰＲ１０１を生成することができない、請求項４に記載の単離細胞。
【請求項７】
ゲノムが、前記内因性ＧＰＲ１０１遺伝子内に破壊を含む、ノックアウト非ヒト哺乳動物を作製する方法。
【請求項８】
前記破壊が、胚幹細胞内で、ＤＮＡ標的化コンストラクトとの相同組換えによって前記ゲノムに導入されている、請求項７に記載の方法。
【請求項９】
ノックアウト非ヒト哺乳動物における体重および食物摂取に対する調節能について候補作用剤をスクリーニングするための方法であって、
（ａ）ゲノムが前記内因性ＧＰＲ１０１遺伝子内で破壊を含むトランスジェニックノックアウト非ヒト哺乳動物を提供するステップと、
（ｂ）前記ノックアウト非ヒト哺乳動物に候補作用剤を投与するステップと、
（ｃ）トランスジェニックノックアウト非ヒト哺乳動物の体重および食物摂取を野生型対照の体重および食物摂取と比較するステップであって、ここで効果における差異は、ＧＰＲ１０１の活性の改変によって体重および食物摂取を調節する作用剤を示唆するステップと、
を含む、方法。
【請求項１０】
候補作用剤を、ノックアウト非ヒト哺乳動物における体重および食物摂取に対する調節能についてスクリーニングするための方法であって、
（ａ）ゲノムが内因性ＧＰＲ１０１遺伝子内での破壊を含むトランスジェニック非ヒト哺乳動物を提供するステップと、
（ｂ）前記トランスジェニック非ヒト哺乳動物に候補作用剤を投与するステップと、
（ｃ）前記トランスジェニック非ヒト哺乳動物に対する前記候補作用剤の効果を評価するステップと、
を含む、方法。
【請求項１１】
前記破壊が、ＥＳ細胞内で、ＤＮＡ標的化コンストラクトとの相同組換えによって前記ゲノムに導入されている、請求項９または１０に記載の方法。
【請求項１２】
前記ＧＰＲ１０１遺伝子の前記破壊の結果、前記マウスは、検出可能なレベルのＧＰＲ１０１を生成することができない、請求項７、９、または１０に記載の方法。
【請求項１３】
ゲノムが構成的に活性な内因性ＧＰＲ１０１遺伝子を含むトランスジェニック非ヒト哺乳動物。
【請求項１４】
前記構成的に活性なＧＰＲ１０１遺伝子が、単一のアミノ酸置換によって前記ゲノムに導入されている、請求項１３に記載のトランスジェニック非ヒト哺乳動物。
【請求項１５】
前記アミノ酸置換が、ＥＳ細胞内で、ＤＮＡ標的化コンストラクトとの相同組換えによって前記ゲノムに導入されている、請求項１４に記載のトランスジェニック非ヒト哺乳動物。
【請求項１６】
前記哺乳動物はマウスである、請求項１または１３に記載のトランスジェニック非ヒト哺乳動物。
【請求項１７】
ゲノムが構成的に活性な内因性ＧＰＲ１０１遺伝子を含むトランスジェニック非ヒト哺乳動物に由来する単離細胞。
【請求項１８】
前記構成的に活性なＧＰＲ１０１遺伝子が、単一のアミノ酸置換によって前記ゲノムに導入されている、請求項１７に記載の単離細胞。
【請求項１９】
前記アミノ酸置換は、ＥＳ細胞内で、ＤＮＡ標的化コンストラクトとの相同組換えによって前記ゲノムに導入されている、請求項１８に記載の単離細胞。
【請求項２０】
前記哺乳動物はマウスである、請求項４または１７に記載の単離細胞。
【請求項２１】
ゲノムが構成的に活性な内因性ＧＰＲ１０１遺伝子を含むトランスジェニック非ヒト哺乳動物を作製するための方法。
【請求項２２】
候補作用剤を、ゲノムが構成的に活性な内因性ＧＰＲ１０１遺伝子を含むトランスジェニック非ヒト哺乳動物における体重および食物摂取に対する調節能についてスクリーニングするための方法であって、
（ａ）ゲノムが構成的に活性な内因性ＧＰＲ１０１遺伝子を含むトランスジェニック非ヒト哺乳動物を提供するステップと、
（ｂ）前記トランスジェニック非ヒト哺乳動物に候補作用剤を投与するステップと、
（ｃ）前記トランスジェニック非ヒト哺乳動物に対する前記候補作用剤の効果を評価するステップと、
を含む、方法。
【請求項２３】
前記構成的に活性なＧＰＲ１０１遺伝子は、単一のアミノ酸置換によって前記ゲノムに導入されている、請求項２１または２２に記載の方法。
【請求項２４】
前記アミノ酸置換は、ＥＳ細胞内で、ＤＮＡ標的化コンストラクトとの相同組換えによって前記ゲノムに導入されている、請求項２３に記載の方法。
【請求項２５】
前記哺乳動物はマウスである、請求項７、９、１０、２１または２２に記載の方法。
【手続補正書】
【提出日】平成24年3月29日(2012.3.29)
【手続補正１】
【補正対象書類名】特許請求の範囲
【補正対象項目名】全文
【補正方法】変更
【補正の内容】
【特許請求の範囲】
【請求項１】
皮膚病変の試料中の、表1〜8、10〜12、および15に列挙した1つまたは複数の遺伝子に由来する核酸分子を解析する段階を含み、それによって対象の皮膚病変を特徴づける、対象における皮膚病変を特徴づける方法。
【手続補正書】
【提出日】平成24年5月18日(2012.5.18)
【手続補正１】
【補正対象書類名】特許請求の範囲
【補正対象項目名】全文
【補正方法】変更
【補正の内容】
【特許請求の範囲】
【請求項１】
癌を有する個体においてトポイソメラーゼIIαインヒビター療法に対する応答を予測する方法であって、
ａ．該個体から得られた試料で、該試料に含まれる腫瘍細胞中のＴＩＭＰ−１タンパク質の欠如、又は該試料の腫瘍細胞中のＴＩＭＰ−１ ＤＮＡ異常の存在を測定する工程、
ｂ．染色体１７ｑ２１上のＴＯＰ２Ａ／ＨＥＲ２アンプリコン中の染色体ＤＮＡの異常の存在、又は該アンプリコンに含まれる遺伝子の異常タンパク質発現を測定する工程、
ｃ．染色体１７ｑ２１上のＴＯＰ２Ａ／ＨＥＲ２アンプリコン中に染色体ＤＮＡ異常が存在する場合、及び／又は該アンプリコン中に含まれる遺伝子のタンパク質発現が、該腫瘍細胞中で異常な場合、及び／又は腫瘍細胞にＴＩＭＰ−１タンパク質が欠如している場合、及び／又は該腫瘍細胞が、ＴＩＭＰ−１遺伝子の対立遺伝子の１つ若しくは両方に該ＴＩＭＰ−１ ＤＮＡ異常を含む場合は、個体がトポイソメラーゼIIαインヒビター療法に応答する可能性が高いと分類する工程、そして
ｄ．ＴＯＰ２Ａ／ＨＥＲ２アンプリコン中に染色体ＤＮＡ異常が存在しないか、又は該アンプリコンに含まれる任意の遺伝子にコードされるどのタンパク質も、腫瘍細胞中で異常に発現されていない場合、及び腫瘍細胞中にＴＩＭＰ−１タンパク質が存在する場合、及び／又はＴＩＭＰ−１対立遺伝子のいずれも該ＴＩＭＰ−１ ＤＮＡ異常を含まない場合は、個体がトポイソメラーゼIIαインヒビター療法に応答する可能性が低いと分類する工程、
を含んでなる方法。
【請求項２】
染色体１７ｑ２１上のＴＯＰ２Ａ／ＨＥＲ２アンプリコン中の染色体ＤＮＡの異常が、ＴＯＰ２Ａ ＤＮＡ異常であり、該アンプリコンに含まれる遺伝子のタンパク質発現が、トポイソメラーゼIIα発現であることを特徴とする、請求項１に記載の方法。
【請求項３】
染色体１７ｑ２１上のＴＯＰ２Ａ／ＨＥＲ２アンプリコン中の染色体ＤＮＡの異常が、ＨＥＲ２ ＤＮＡ異常であり、該アンプリコンに含まれる遺伝子のタンパク質発現が、ＥｒｂＢ２発現であることを特徴とする、請求項１に記載の方法。
【請求項４】
癌を有する個体のトポイソメラーゼIIαインヒビター療法に対する応答を予測する方法であって、
ａ．該個体から得られる試料で、該試料中に含まれる腫瘍細胞中にＴＩＭＰ−１タンパク質が存在しないことを測定する工程、
ｂ．該試料の腫瘍細胞中にＴＯＰ２Ａ ＤＮＡ異常が存在することを測定する工程、
ｃ．ＴＯＰ２Ａ ＤＮＡ異常が存在する場合、及び／又は腫瘍細胞にＴＩＭＰ−１タンパク質が欠如している場合に、個体がトポイソメラーゼIIαインヒビター療法に応答する可能性が高いと分類する工程、そして
ｄ．ＴＯＰ２Ａ ＤＮＡ異常が存在しない場合、及び腫瘍細胞中にＴＩＭＰ−１タンパク質が存在する場合に、個体がトポイソメラーゼIIαインヒビター療法に応答する可能性が低いと分類する工程、
を含んでなる方法。
【請求項５】
ＴＯＰ２Ａ遺伝子異常は、ＴＯＰ２Ａ ＤＮＡ増幅、ＴＯＰ２Ａ ＤＮＡ欠失、ＴＯＰ２Ａ遺伝子点突然変異、及びＴＯＰ２Ａ ＤＮＡ転座、ＴＯＰ２Ａ ＤＮＡの後成的修飾（例えばＤＮＡメチル化）、及びこれらの組合せよりなる群から選択されることを特徴とする、請求項２に記載の方法。
【請求項６】
ＨＥＲ２遺伝子異常は、ＨＥＲ２ 遺伝子増幅、ＨＥＲ２ ＤＮＡ欠失、ＨＥＲ２遺伝子点突然変異、及びＨＥＲ２ ＤＮＡ転座、ＨＥＲ２ ＤＮＡの後成的修飾（例えばＤＮＡメチル化）、及びこれらの組合せよりなる群から選択されることを特徴とする、請求項３に記載の方法。
【請求項７】
ＨＥＲ２ ＤＮＡ異常、又は腫瘍細胞中のＥｒｂＢ２タンパク質の増加は、該試料の腫瘍細胞中の異常なＨＥＲ２ ｍＲＮＡレベルと相関することを特徴とする、請求項３に記載の方法。
【請求項８】
腫瘍細胞は、ＴＩＭＰ−１対立遺伝子の１つの欠失、ＴＩＭＰ−１対立遺伝子の両方の欠失、ＴＩＭＰ−１対立遺伝子の１つの部分的欠失、ＴＩＭＰ−１対立遺伝子の両方の部分的欠失、ＴＩＭＰ−１ ＤＮＡ点突然変異、ＴＩＭＰ−１ ＤＮＡ反転、ＴＩＭＰ−１ ＤＮＡ転座、ＴＩＭＰ−１ ＤＮＡの後成的修飾（例えばＤＮＡメチル化）、及びこれらの組合せからなるリストから選択される、少なくとも１つのＴＩＭＰ−１ ＤＮＡ異常を含むことを特徴とする、請求項１〜７のいずれか１項に記載の方法。
【請求項９】
腫瘍細胞はＴＩＭＰ−１タンパク質が欠如していることを特徴とする、請求項１〜８のいずれか１項に記載の方法。
【請求項１０】
癌は、乳癌、肉腫、卵巣癌、及び非小細胞肺癌よりなる群から選択されることを特徴とする、請求項１〜９のいずれか１項に記載の方法。
【請求項１１】
試料は、腫瘍組織試料、血液試料、血漿試料、血清試料、尿試料、便試料、唾液試料、及び胸腔及び腹腔からの漿液の試料、及びこれらの組合せよりなる群から選択されることを特徴とする、請求項１〜１０のいずれか１項に記載の方法。
【請求項１２】
トポイソメラーゼIIαインヒビター療法に対して応答する可能性は、危険率により測定されることを特徴とする、請求項１〜１１のいずれか１項に記載の方法。
【請求項１３】
個体の癌を治療する方法であって、
ａ．前記請求項のいずれかのトポイソメラーゼIIαインヒビター療法に対する応答を予測し、
ｂ．該個体が応答する可能性の高いトポイソメラーゼIIαインヒビター療法を選択し、そして
ｃ．該個体を該トポイソメラーゼIIαインヒビター療法に付す、
ことを含んでなる方法。
【請求項１４】
トポイソメラーゼIIαインヒビターは、特に限定されないが、４−エピルブリシン、ダウノルビシン、ダウノルビシン（リポソーム）、ドキソルビシン、ドキソルビシン（リポソーム）、エピルビシン、イダルビシン、及びミトキサントロン、又はこれらの組合せよりなる群から選択されるアントラサイクリン類であることを特徴とする、請求項１３に記載の方法。
【請求項１５】
トポイソメラーゼIIαインヒビター療法に対する応答を予測するためのキットであって、
ａ．生物学的試料中の、ＴＯＰ２Ａ又はＨＥＲ２ ＤＮＡ異常のようなＴＯＰ２Ａ／ＨＥＲ２アンプリコン中の染色体ＤＮＡ異常の測定に適した試薬と、
ｂ．生物学的試料中の、ＴＩＭＰ−１ ＤＮＡ異常の測定又はＴＩＭＰ−１タンパク質レベルの測定に適した試薬とを、
含んでなるキット。
【手続補正書】
【提出日】平成24年4月13日(2012.4.13)
【手続補正１】
【補正対象書類名】特許請求の範囲
【補正対象項目名】全文
【補正方法】変更
【補正の内容】
【特許請求の範囲】
【請求項１】
１または２以上の阻害性核酸およびターゲティングポリペプチドを含む複合体であって、ここでターゲティングポリペプチドは細胞表面レセプターのリガンドを含む、前記複合体。
【請求項２】
ターゲティングポリペプチドが、核酸結合部分をさらに含む、請求項１に記載の複合体。
【請求項３】
核酸結合部分が、配列番号１として記載されたヌクレオチド配列によってコードされるポリペプチド、配列番号３として記載されたヌクレオチド配列によってコードされるポリペプチド、プロタミン、ウィルス抗原、ウィルスカプシド、ｇｐ１２０、ｇｐ１６０およびｇｐ４１からなる群から選択される、請求項２に記載の複合体。
【請求項４】
核酸結合部分およびターゲティングポリペプチドが、スペーサーペプチドによって分離されている、請求項２または３に記載の複合体。
【請求項５】
配列番号２、配列番号４、配列番号９、配列番号１０および配列番号１１からなる群から選択されるアミノ酸配列を有するポリペプチドを含む、請求項１に記載の複合体。
【請求項６】
阻害性核酸が、短鎖干渉核酸（ｓｉＮＡ）、短鎖干渉ＲＮＡ（ｓｉＲＮＡ）、二本鎖ＲＮＡ（ｄｓＲＮＡ）、マイクロＲＮＡ（ｍｉＲＮＡ）および短鎖ヘアピンＲＮＡ（ｓｈＲＮＡ）からなる群から選択される、請求項１〜５のいずれか一項に記載の複合体。
【請求項７】
細胞表面レセプターリガンドが、サイトカイン、ケモカイン、抗体および成長因子からなる群から選択される、請求項１〜６のいずれか一項に記載の複合体。
【請求項８】
１または２以上の阻害性核酸およびターゲティングポリペプチドが、共有的に連結している、請求項１〜７のいずれか一項に記載の複合体。
【請求項９】
対象における疾患または障害を治療または予防するための医薬組成物であって、１または２以上の阻害性核酸およびターゲティングポリペプチドを含み、ここでターゲティングポリペプチドは細胞表面レセプターのリガンドを含み、それにより疾患または障害を治療または予防する、前記医薬組成物。
【請求項１０】
イメージング剤を対象における細胞に送達するための組成物であって、１または２以上の標的遺伝子の発現を減少させる１または２以上の阻害性核酸、ここで１または２以上の阻害性核酸はイメージング剤とカップリングされている、および、ターゲティングポリペプチド、ここでターゲティングポリペプチドは細胞表面レセプターのリガンドを構成し、それにより剤を細胞に送達する、を含む複合体を含む、前記組成物。
【請求項１１】
１または２以上の剤を標的細胞に送達するための組成物であって、１または２以上の標的遺伝子の発現を減少させる１または２以上の阻害性核酸、ここで１または２以上の阻害性核酸は剤とカップリングされている、および、ターゲティングポリペプチド、ここでターゲティングポリペプチドは細胞表面レセプターのリガンドを含み、それにより剤を標的細胞に送達する、を含む複合体を含む、前記組成物。
【請求項１２】
ターゲティングポリペプチドおよび核酸結合部分を含む融合分子であって、配列番号２、配列番号４、配列番号９、配列番号１０および配列番号１１からなる群から選択されるポリペプチドによってコードされる、前記融合分子。
【請求項１３】
細胞中の遺伝子発現のレベルを減少させるための組成物であって、１または２以上の標的遺伝子の発現を減少させる１または２以上の阻害性核酸およびターゲティングポリペプチドを含む複合体であって、ここでターゲティングポリペプチドは細胞表面レセプターのリガンドを含み、それにより細胞中の遺伝子発現レベルを減少させる、前記複合体を含む、前記組成物。
【請求項１４】
阻害性ＲＮＡ分子を細胞内に送達するための組成物であって、１または２以上の二本鎖ＲＮＡおよびターゲティングポリペプチドを含む複合体であって、ここでターゲティングポリペプチドは細胞表面レセプターのリガンドを含み、それにより阻害性ＲＮＡ分子を細胞内に送達する、前記複合体を含む、前記組成物。
【請求項１５】
遺伝子発現のレベルを減少させることによって、対象における癌を治療または予防するための組成物であって、１または２以上の標的遺伝子の発現を低減させる１または２以上の阻害性核酸およびターゲティングポリペプチドを含む複合体であって、ここでターゲティングポリペプチドは細胞表面レセプターのリガンドを含み、それにより対象における癌を治療または予防する、前記複合体を含む、前記組成物。
【手続補正２】
【補正対象書類名】明細書
【補正対象項目名】０１１９
【補正方法】変更
【補正の内容】
【０１１９】
図１Ｃは、ＴＡＲＣ−ＡＲＰがｓｉＲＮＡを、ＣＣＲ４を発現する乳癌細胞に効果的に送達できることを示す。ＴＡＲＣ−複合体またはコントロールＴＡＲＣ−ＮＦタンパク質（１ｍｏｌ）をAlexa-488標識化ｓｉＲＮＡ（２０ｐｍｏｌ）と、生理食塩水中、３０分間室温で、細胞への添加前に混合した。コントロール細胞もまた、Alexa-488標識化ｓｉＲＮＡ（２０ｐｍｏｌ）とともにインキュベートしたか、またはｓｉＲＮＡをLipofectamine-2000（Invitrogen）を用いてトランスフェクトした。２４時間のインキュベート後、細胞を可視光（上のパネル）または５５５ｎｍの波長の励起下で分析した。
【手続補正書】
【提出日】平成24年5月14日(2012.5.14)
【手続補正１】
【補正対象書類名】特許請求の範囲
【補正対象項目名】全文
【補正方法】変更
【補正の内容】
【特許請求の範囲】
【請求項１】
２０、２１、２２又は２３ヌクレオチド及び配列番号５の塩基配列を含む、アンチセンス分子。
【請求項２】
２０、２１、２２又は２３ヌクレオチド及び配列番号５の配列を含む、請求項１に記載のアンチセンス分子。
【請求項３】
少なくとも１つのヌクレオチドがヌクレオチド類似体である、クレーム１又は２に記載のアンチセンス分子。
【請求項４】
前記分子がヌクレオチド配列、配列番号５からなる、請求項２に記載の分子。
【請求項５】
１つ又は複数のＲＮＡ残基、及び／又は１つ又は複数のＤＮＡ残基を含む、請求項１から４のいずれか１項に記載の分子。
【請求項６】
少なくとも１つのヌクレオチドがヌクレオチド類似体に置き換わっており、該ヌクレオチド類似体が修飾塩基、及び／又は修飾骨格、及び／又は非天然ヌクレオシド間結合、又はこれらの修飾の組み合わせを有するヌクレオチド残基である、請求項３に記載の分子。
【請求項７】
ヌクレオチド類似体が修飾骨格を有する、請求項６に記載の分子。
【請求項８】
前記ヌクレオチド類似体が、２’、３’及び／又は５’位でモノ−又はジ置換されている１つ又は複数の糖部分を含む、請求項６又は７に記載の分子。
【請求項９】
２’−Ｏ−置換ＲＮＡホスホロチオエートアンチセンスオリゴヌクレオチドを含む、請求項１から８までのいずれか一項に記載の分子。
【請求項１０】
２’−Ｏ−メチルリボースを含む、請求項１から９までのいずれか1項に記載の分子。
【請求項１１】
ヌクレオチド配列、５’  ｕｃａｇｃｕｕｃｕｇｕｕａｇｃｃａｃｕｇ  ３’（配列番号５）を含むホスホロチオエートアンチセンスオリゴヌクレオチドを含み、糖部分が各々２’−Ｏ−メチル置換されているものである、請求項１から１０までのいずれか1項に記載の分子。
【請求項１２】
ヌクレオチド配列、５’  ｕｃａｇｃｕｕｃｕｇｕｕａｇｃｃａｃｕｇ  ３’（配列番号５）を有するホスホロチオエートアンチセンスオリゴヌクレオチドであり、糖部分が各々２’−Ｏ−メチル置換されている分子。
【請求項１３】
修飾骨格がモルホリノ骨格、カルバメート骨格、シロキサン骨格、スルフィド骨格、スルホキシド骨格、スルホン骨格、ホルムアセチル骨格、チオホルムアセチル骨格、メチレンホルムアセチル骨格、リボアセチル骨格、アルケン含有骨格、スルファメート骨格、スルホネート骨格、スルホンアミド骨格、メチレンイミノ骨格、メチレンヒドラジノ骨格、及びアミド骨格からなる群から選ばれる、請求項６又は７に記載の分子。
【請求項１４】
少なくとも２つの異なるタイプのヌクレオチド類似体を含む、請求項３、５から８又は１３のいずれか１項に記載の分子。
【請求項１５】
ホスホロジアミデートモルホリノオリゴマー（ＰＭＯ）、ペプチド核酸、及び／又はロックト核酸を含む、請求項６又は７に記載の分子。
【請求項１６】
塩基配列、５’  ｕｃａｇｃｕｕｃｕｇｕｕａｇｃｃａｃｕｇ  ３’（配列番号５）を有するＰＭＯである分子。
【請求項１７】
請求項１又は２又は３で規定される分子を発現させるためのＰｏｌＩＩＩプロモーター駆動型発現カセットを含むウイルスベースのベクター。
【請求項１８】
請求項１から１６までのいずれか一項で規定される分子、又は請求項１７に記載のベクター、及び薬学的に許容される担体を含む医薬品組成物。
【請求項１９】
ＤＭＤプレｍＲＮＡのスプライシングを調節するための、請求項１から１６までのいずれか一項で規定される分子、又は請求項１７に記載のベクター、又は請求項１８で規定される医薬品組成物の使用。
【請求項２０】
ＤＭＤ又はＢＭＤ患者の治療用の薬剤を調製するための、請求項１から１６までのいずれか一項で規定される分子、又は請求項１７に記載のベクター、又は請求項１８で規定される医薬品組成物の使用。
【請求項２１】
細胞中でＤＭＤ遺伝子のエクソン４４スキッピングを誘導するためのインビトロの方法であって、請求項１から１６までのいずれか一項で規定される分子、又は請求項１７に記載のベクター、又は請求項１８で規定される医薬品組成物を前記細胞に提供するステップを含む上記方法。
【手続補正書】
【提出日】平成24年5月14日(2012.5.14)
【手続補正１】
【補正対象書類名】特許請求の範囲
【補正対象項目名】全文
【補正方法】変更
【補正の内容】
【特許請求の範囲】
【請求項１】
解析するためのサンプルを調製する方法であって、前記方法は、
（ａ）（ｉ）液滴操作基板（４７１０）と、（ｉｉ）前記液滴操作基板（４７１０）の液滴操作表面上で液滴操作を実施するように配置される電極（４７２０）と、（ｉｉｉ）前記液滴操作表面とカバーとの間に液滴操作間隙（４７１６）を形成するために、前記液滴操作表面に隣接し、前記液滴操作表面から離間している、カバーを含む上部の基板（４７１４）と、（ｉｖ）前記上部の基板（４７１４）に結合され、１つ以上の標的検体（４７５４）および／または１つ以上の標的検体（４７５４）を含む物質に対する親和性を有する磁性反応ビーズ（４７３４）を含むリザーバー（４７３０）と、（ｖ）前記リザーバー（４７３０）から前記液滴操作間隙（４７１６）に延在する液体経路と、（ｖｉ）前記液滴操作基板（４７１０）に結合され、磁性反応ビーズ（４７３４）を引き付けるのに十分な磁場を生成するように構成される磁場源（４７４０）と、を備える液滴アクチュエータ（４７００）を提供する工程と、
（ｂ）前記リザーバー内にサンプル流体（４７５２）を供給する工程であって、前記サンプルは、前記標的検体および／または物質（４７５４）のうちの１つ以上を潜在的に含む工程と、
（ｃ）前記液体経路を通して前記液滴操作間隙（４７１６）内に前記磁性ビーズ（４７３４）を含むサンプル流体（４７５２）を流動させる工程と、
（ｄ）前記磁性反応ビーズ（４７３４）を磁石（４７４０）で凝集させる工程と、
（ｅ）前記磁場を除去するか、または前記磁場から前記ビーズ（４７３４）を除去して、磁性ビーズ（４７３４）を含む前記液滴操作間隙（４７１６）内にサンプル体積を生じさせる工程と、
を含む、方法。
【請求項２】
前記液滴アクチュエータは、前記液滴操作基板（４７１０）に結合され、前記液体経路を通して前記液滴操作間隙（４７１６）に侵入する流体を受容するように配置されるリザーバー電極（４７１８）を備え、前記磁石（４７４０）は、前記液体経路に対して前記リザーバー電極（４７１８）の反対側に配置される、請求項１に記載の方法。
【請求項３】
前記液滴アクチュエータは、前記リザーバー（４７３０）内のサンプル流体（４７５２）に音波エネルギーを与えるように配置される超音波処理器（４７４２）を備え、前記リザーバー（４７３０）内の前記サンプル（４７５２）を超音波処理する工程をさらに含む、請求項１に記載の方法。
【請求項４】
（ａ）１つ以上の標的検体を含む検体および／または物質は、細胞を含み、前記ビーズ（４７３４）は前記細胞に対して親和性を有し、
（ｂ）前記方法は、請求項１に記載の工程（ｅ）によって生成される磁性ビーズ（４７３４）を含む前記液滴操作間隙（４７１６）内の前記サンプル体積と、細胞溶解試薬を含む溶解液滴（４７５６）とを混合する工程をさらに含み、
前記磁場を再印加して、前記磁性ビーズ（４７３４）を固定化させる工程をさらに含む、請求項１に記載の方法。
【請求項５】
前記磁性ビーズ（４７３４）から離れた位置に液滴（４７５８）を輸送する工程をさらに含む、請求項４に記載の方法。
【請求項６】
前記磁性ビーズ（４７３４）から離れた位置に前記サンプル体積の一部（４７５８）を輸送する工程をさらに含む、請求項４に記載の方法。
【請求項７】
離れた位置に輸送された前記液滴または前記サンプル体積の一部（４７５８）と、前記１つ以上の標的検体に対する親和性を有するビーズ（４７６４）を含む液滴（４７６２）とを混合する工程をさらに含む、請求項５または６に記載の方法。
【請求項８】
前記１つ以上の標的検体に対する親和性を有する前記ビーズ（４７６４）を洗浄するために洗浄プロトコルを実施して、実質的に精製された標的検体を含むビーズ（４７６４）を含む液滴を生じる工程をさらに含む、請求項７に記載の方法。
【請求項９】
前記実質的に精製された標的検体を含む前記ビーズ（４７６４）を含む前記液滴を用いて解析プロトコルを実施する工程をさらに含む、請求項８に記載の方法。
【請求項１０】
前記解析プロトコルを実施する工程は、前記液滴操作間隙（４７１６）内で達成される、請求項９に記載の方法。
【請求項１１】
前記実質的に精製された標的検体を含むビーズ（４７６４）を含む前記液滴は、前記解析プロトコルを実施する前に、前記液滴操作間隙（４７１６）から除去される、請求項９に記載の方法。
【請求項１２】
前記解析プロトコルの結果の出力の指標を提供する工程をさらに含む、請求項９に記載の方法。
【請求項１３】
前記実質的に精製された標的検体を含むビーズ（４７６４）を含む液滴（４７６２）を、前記液滴操作間隙（４７１６）から除去する工程をさらに含む、請求項８に記載の方法。
【手続補正書】
【提出日】平成24年5月18日(2012.5.18)
【手続補正１】
【補正対象書類名】特許請求の範囲
【補正対象項目名】全文
【補正方法】変更
【補正の内容】
【特許請求の範囲】
【請求項１】
手動のパワー工具であって、その作動力はガス燃焼機構によって得られることと、該ガス燃焼機構は、第１の燃焼室と、後方端部および前方端部を有する駆動部モータ内の第２の室と、該第１の燃焼室は該後方端部を介して第２の室と連通することと、少なくとも１つのファンアセンブリと、該駆動部モータ内を該後方端部および該前方端部の間にて移動可能なピストンおよび駆動部を有する駆動アセンブリと、同駆動アセンブリに操作自在に連結される駆動モータとを備えることと、使用に際して該ピストンは駆動部モータの前方端部に、または前方端部近傍に位置され、該ファンアセンブリは空気を第１の燃焼室および第２の室内に案内し、これにより室内の空気を少なくとも部分的に加圧することと、燃料ガスが燃料供給ポートから該燃焼室内に案内されることと、該空気および燃料ガスは混合されて空気および燃料ガスの混合体が室内にて形成されることと、該駆動モータはピストンを該後方端部の位置、または後方端部の近傍の位置に操作自在に移動させることにより第１の燃焼室内にて空気および燃料ガスの混合体を圧縮し、これにより空気および燃料ガスの混合体は燃焼室内において点火され、該ピストンを移動させ工具を容易に操作できるようにすることとを特徴とする手動のパワー工具。
【請求項２】
前記ファンアセンブリは、前記第１の燃焼室内に空気を案内するための第１の外部誘導ファン、および前記第１の燃焼室内に位置される第２の内部循環ファンを有し、同第２の内部循環ファンは、円錐台形状（frusto-conical）の自由端部を有するカバーによって覆われることを特徴とする請求項１に記載の手動のパワー工具。
【請求項３】
個別の排出口が前記第１の燃焼室および駆動部モータの周囲の外部に少なくとも部分的に位置され、該排出口は駆動部モータの前方端部の近傍に位置される排出孔を有し、複数の開口部が第１の燃焼室の排出口を相互に連通させ、該開口部の近傍に位置されるエアダクトカバーは、空気がファンアセンブリによって燃焼室内に案内された場合に空気が開口部を通過することを防止し、前記排出口と連通する少なくとも１つの排出ポートは、駆動部モータの後方端部の近傍にて駆動部モータに位置され、該排出ポートは、駆動部モータの後方端部に移動すると、ピストンによって閉じられ、前記排出ポートは、燃焼室の空気入り口側に先立って閉じ、これにより過給空気が前記燃焼室内に案内されることを特徴とする請求項１に記載の手動のパワー工具。
【請求項４】
前記空気および燃料の混合体は、複数の点火装置から放出される複数の高電圧の火花によって開始される点火工程によって点火されることを特徴とする請求項１に記載の手動のパワー工具。
【請求項５】
手動のパワー工具であって、その作動力はガス燃焼機構によって得られることと、該ガス燃焼機構は、第１の燃焼室と、後方端部および前方端部を有する駆動部モータ内の第２の室と、該第１の燃焼室は該後方端部を介して第２の室と連通することと、該駆動部モータ内を該後方端部および該前方端部の間にて移動可能なピストンおよび駆動部を有する駆動アセンブリと、同駆動アセンブリに操作自在に連結される駆動モータとを備えることと、使用に際して該第１の燃焼室および第２の室の容積は第１の工程および第２の工程において流動的に加圧されることと、該第１の工程は、該ピストンが駆動部モータの前方端部に、または前方端部近傍に位置され、ファンにより過給空気を第１の燃焼室および第２の室内に案内する工程を含み、燃料ガスは燃料供給ポートから該燃焼室内に案内されることと、該空気および燃料ガスは混合されて空気および燃料ガスの混合体が室内にて形成されることと、該第２の工程において、該駆動モータはピストンを該後方端部に移動させることにより第１の燃焼室内にて空気および燃料ガスの混合体を圧縮し、これにより空気および燃料ガスの混合体は燃焼室内において点火され、該ピストンを移動させ工具を容易に操作できるようにすることとを特徴とする手動のパワー工具。
【手続補正書】
【提出日】平成23年11月30日(2011.11.30)
【手続補正１】
【補正対象書類名】特許請求の範囲
【補正対象項目名】全文
【補正方法】変更
【補正の内容】
【特許請求の範囲】
【請求項１】
ゴムタイヤ構成部材を用いて未加硫タイヤを組み立てるタイヤ組み立てドラム（１）であって、該タイヤ組み立てドラム（１）が中央ドラム軸（４）と、該タイヤ組み立てドラム（１）の中心（３）および前記ドラム軸（４）の周りに対して少なくともほとんど実質的に対称に配置された２つのドラム半部（５、６）と、を有し、前記ドラム軸（４）に１つのネジ付きスピンドル（７）が配置され、該ネジは前記タイヤ組み立てドラム（１）の前記中心（３）の両側に等しいサイズのピッチで両方向に設けられ、前記タイヤ組み立てドラム（１）の前記中心（３）の両側において前記スピンドル（７）上に駆動ナット（８）が配置され、各々の前記駆動ナット（８）は連結部（８）を介して対応する前記ドラム半部（５）に固定的に連結され、前記ドラム軸（４）は前記連結部（９）を収容するドラム軸長穴（１０）を備え、両方の前記ドラム半部（５、６）は前記タイヤ組み立てドラム（１）の軸方向に移動可能であり、
各々の前記ドラム半部（５、６）は、揺動するように対応する前記ドラム半部（５）に連結された折り畳みアーム（１２）を含む折り畳みアームユニット（１１）を有し、前記折り畳みユニット（１１）は前記タイヤ組み立てドラム（１）の軸方向に移動可能であり、各ドラム半部（５、６）は、ビードリングコア（１６）を支持かつ固定するようになっているビードリングコア固定ユニット（１５）をさらに有し、前記ビードリングコア固定ユニット（１５）は前記ドラム軸（４）の周りに配置された円筒状部（１７）上に配置されている、タイヤ組み立てドラム（１）において、
前記円筒状部（１７）は前記連結部（９）を収容するシリンダ長穴（１８）とロック機構（１９）とを備え、前記ロック機構（１９）は前記ドラム軸（４）に対して嵌め合わされたり分離されたりすることができ、前記折り畳みアームユニット（１１）は、前記ロック機構（１９）を前記ドラム軸（４）に嵌め合わせたときに、前記円筒状部（１７）に対して前記タイヤ組み立てドラム（１）の軸方向に移動させることができることを特徴とする、タイヤ組み立てドラム。
【請求項２】
ロック機構（１９）は、空気圧によって作動させられるピストン部（２０）を有し、前記ピストン部（２０）はピストン部歯（２０ａ）を備え、前記ドラム軸（４）はドラム軸歯（２１）を備え、前記ピストン部歯（２０ａ）は前記ドラム軸歯（２１）に噛み合わせられることを特徴とする、請求項１に記載のタイヤ組み立てドラム（１）。
【請求項３】
前記ロック機構（１９）は、前記シリンダ長穴（１８）に対して周方向にずらして配置されていることを特徴とする、請求項１または２に記載のタイヤ組み立てドラム（１）。
【請求項４】
前記円筒状部（１７）はピストン（２３）を移動させることができるピストンチャンバ（２２）を有し、前記ピストン（２３）は前記折り畳みアームユニット（１１）に固定的に連結されていることを特徴とする、請求項１から３のいずれか１項に記載のタイヤ組み立てドラム（１）。
【請求項５】
各々の前記ドラム半部（５、６）は、前記ビードリングコア固定ユニット（１５）を半径方向に移動させるために空気圧によって作動させられるユニット（２４）を有することを特徴とする、請求項１から４のいずれか１項に記載のタイヤ組み立てドラム（１）。
【請求項６】
各々の前記ドラム半部（５、６）は前記円筒状部（１７）に対して軸方向に移動可能なケーシングカバー部（２５）を有し、前記ケーシングカバー部（２５）は、ゴム構成部材を支持する少なくとも実質的に密閉されたケーシング面を形成し、前記折り畳みアーム（１２）を収容しかつ通過させるくぼみ（２６）を周囲に備えていることを特徴とする、請求項１から５のいずれか１項に記載のタイヤ組み立てドラム（１）。
【請求項７】
前記ケーシングカバー部（２５）は、前記ケーシングカバー部（２５）上にゴム構成部材を保持するための真空装置を備えることを特徴とする、請求項６に記載のタイヤ組み立てドラム（１）。
【請求項８】
前記ビードリングコア固定ユニット（１５）はビードコア（１６）を支持するショルダ部（２７）を有し、前記ショルダ部（２７）は、機械的連結部（２８）によって前記ケーシングカバー部（２５）に機械的に連結されていることを特徴とする、請求項６または７に記載のタイヤ組み立てドラム（１）。
【請求項９】
前記スピンドル（７）はサーボモータによって駆動されることを特徴とする、請求項１から８のいずれか１項に記載のタイヤ組み立てドラム（１）。
【請求項１０】
前記ロック機構（１９）が前記ドラム軸から分離した位置で、前記スピンドル（７）の動作により前記ドラム半部（５）全体の軸移動が保証されることを特徴とする、請求項１から９のいずれか１項に記載のタイヤ組み立てドラム（１）。
【手続補正書】
【提出日】平成24年4月27日(2012.4.27)
【手続補正１】
【補正対象書類名】特許請求の範囲
【補正対象項目名】全文
【補正方法】変更
【補正の内容】
【特許請求の範囲】
【請求項１】
アクチュエータを有する小滴放出装置を駆動するための方法において、
２つ以上の駆動パルス及び１つの打ち消しパルスを有する複数パルス波形をアクチュエータに印加するステップと、
小滴放出装置が、複数パルス波形の駆動パルスに関連した圧力応答波に応答して流体の小滴を放出するようにさせるステップと、
打ち消しパルスに関連した圧力応答波で駆動パルスに関連した圧力応答波を打ち消すステップであって、前記打ち消しパルスが前記２つ以上の駆動パルスに関して反転されている、ステップと、を備えた方法。
【請求項２】
打ち消しパルスに関連した圧力応答波で駆動パルスに関連した圧力応答波を打ち消す前記ステップは、付加的な圧力応答波を発生するその後の駆動パルスとの干渉を減少させる、請求項１に記載の方法。
【請求項３】
前記２つ以上の駆動パルスは、実質的に同じ周波数を有する、請求項１に記載の方法。
【請求項４】
前記打ち消しパルスは、前記２つ以上の駆動パルスに続いて発射される、請求項３に記載の方法。
【請求項５】
前記駆動パルスに関連した圧力応答波は、互いに同相で、建設的に合成される、請求項２に記載の方法。
【請求項６】
前記打ち消しパルスに関連した圧力応答波は、駆動パルスに関連した圧力応答波に対して位相ずれしていて、破壊的に合成されほぼゼロ振幅の圧力応答波を発生し、前記駆動パルスのそれぞれが、初期負圧応答波を生じさせる充填セグメント、これにつづく、正圧応答波を生じさせるファイアセグメントを含み、前記反転打ち消しパルスが正圧応答波を生じさせるセグメントを含む、請求項５に記載の方法。
【請求項７】
前記複数パルス波形は、３つの駆動パルス及び１つの打ち消しパルスを含む、請求項１に記載の方法。
【請求項８】
前記複数パルス波形は、３つの駆動パルス及び２つの打ち消しパルスを含む、請求項１に記載の方法。
【請求項９】
前記打ち消しパルスは、前記駆動パルスに関連した圧力波を打ち消して、放出される小滴に関連したメニスカスバウンスを防止する、請求項１に記載の方法。
【請求項１０】
前記アクチュエータは、前記駆動パルスに応答してポンピングチャンバーの流体の圧力を変化させるように動作できる、請求項１に記載の方法。
【請求項１１】
ポンピングチャンバーから流体の小滴を放出させるアクチュエータと、
前記アクチュエータに結合された駆動電子器具と、
を備え、動作中に、前記駆動電子器具は、２つ以上の駆動パルス及び１つの打ち消しパルスを有する複数パルス波形で前記アクチュエータを駆動して、前記アクチュエータが、各駆動パルスに応答して発生される前記アクチュエータ内の圧力応答波に応答して流体の小滴を放出するようにさせ、更に、前記打ち消しパルスは、駆動パルスに関連した圧力応答波を減衰して、付加的な圧力応答波を発生するその後の駆動パルスとの干渉を減少するようにし、前記打ち消しパルスが前記２つ以上の駆動パルスに関して反転されていることを特徴とする装置。
【請求項１２】
小滴放出装置は、異なる小滴サイズを有する少なくとも３つの小滴を放出し、各小滴は、実質的に同じ有効小滴速度で放出される、請求項１１に記載の装置。
【請求項１３】
前記複数パルス波形は、ある期間中に放射される３つの駆動パルス及び１つの打ち消しパルスを有し、前記アクチュエータが駆動パルスに応答して流体の小滴を放射するようにさせる、請求項１１に記載の装置。
【請求項１４】
３つの駆動パルス及び打ち消しパルスが発射される前記期間は、その巾が６０マイクロ秒未満である、請求項１３に記載の装置。
【請求項１５】
前記２つ以上の駆動パルスは実質的に同じ周波数を有する、請求項１１に記載の装置。
【請求項１６】
インクジェットモジュールを備え、このインクジェットモジュールは、
ポンピングチャンバーから流体の小滴を放出させるアクチュエータと、
前記アクチュエータに結合された駆動電子器具と、
を含み、動作中に、前記駆動電子器具は、２つ以上の駆動パルス及び１つの打ち消しパルスを有する複数パルス波形で前記アクチュエータを駆動して、前記アクチュエータが、各駆動パルスに応答して発生される前記アクチュエータ内の圧力応答波に応答して流体の小滴を放出するようにさせ、更に、前記打ち消しパルスは、駆動パルスに関連した圧力応答波を減衰して、付加的な圧力応答波を発生するその後の駆動パルスとの干渉を減少するようにし、前記２つ以上の駆動パルスが前記打ち消しパルスの最小電圧振幅にほぼ等しい最大電圧振幅を有する、プリントヘッド。
【請求項１７】
前記複数パルス波形は、４０マイクロ秒未満の期間中に放射される３つの駆動パルス及び１つの打ち消しパルスを有し、前記アクチュエータが高周波数の印加中駆動パルスに応答して流体の小滴を放射するようにさせる、請求項１６に記載のプリントヘッド。
【請求項１８】
前記打ち消しパルスは、３つの駆動パルスの後に放射されて、圧力応答波を減衰させ、付加的な圧力応答波を発生するその後の駆動パルスとの干渉を減少させる、請求項１７に記載のプリントヘッド。
【請求項１９】
前記駆動パルスに関連した圧力応答波は、互いに同相で、建設的に合成される、請求項１７に記載のプリントヘッド。
【請求項２０】
前記打ち消しパルスに関連した圧力応答波は、駆動パルスに関連した圧力応答波に対して位相ずれして、破壊的に合成されるように構成される、請求項１７に記載のプリントヘッド。
【手続補正書】
【提出日】平成24年5月8日(2012.5.8)
【手続補正１】
【補正対象書類名】特許請求の範囲
【補正対象項目名】全文
【補正方法】変更
【補正の内容】
【特許請求の範囲】
【請求項１】
装置と被印刷物とが処理方向に沿って相対移動する間に、インク滴を被印刷物に噴射するための装置であって、
二列のジェットアセンブリであって、該二列のジェットアセンブリの第一列が第一のジェットアセンブリおよび１以上の追加のジェットアセンブリを備え、該二列のジェットアセンブリの第二列が第二のジェットアセンブリおよび１以上の追加のジェットアセンブリを備えたものである二列のジェットアセンブリ、および
各組の一列に並んだ前記ノズルにおいて、一方のノズルに、前記非印刷物に所望のピクセルを形成するために前記ノズルが噴射する必要があるインク滴より小さいサイズを有する第一のインク滴を噴射させ、他方のノズルに、前記第一のインク滴と組み合わせて、所望のピクセルを形成するのに十分なサイズを有する第二のインク滴を噴射させるようにする機構であって、前記第一のインク滴のサイズが、前記一方のノズルが噴射するように構成された最大インク滴サイズよりも小さいものである機構、
を備え、
前記ジェットアセンブリの各列が一連のノズルを有し、前記二列のジェットアセンブリが、少なくとも一列の一端または両端にある１以上のノズルを除いて、前記ジェットアセンブリの各列のノズルのそれぞれが、該ジェットアセンブリの他方の列のジェットアセンブリの対応するノズルと、処理方向に沿って一列に並んで、一組の一列に並んだノズルを形成するように、該処理方向に対して垂直方向に少なくとも部分的に重なっており、
前記一組の一列に並んだノズルの少なくともいくつかのそれぞれについて、前記二列のジェットアセンブリの第一列のノズルおよび該二列のジェットアセンブリの第二列の対応するノズルが、複数のサイズのインク滴を噴出するように構成されていることを特徴とする装置。
【請求項２】
前記第一および第二のジェットアセンブリが、それぞれ１００多いノズルを備えたことを特徴とする請求項１記載の装置。
【請求項３】
前記第一のジェットアセンブリのノズルが、それぞれ前記第二のジェットアセンブリまたは前記第二列の追加のジェットアセンブリの対応するノズルと一列に並ぶことを特徴とする請求項１記載の装置。
【請求項４】
前記第二のインク滴のサイズが、他のノズルが噴射するように構成された最大インク滴サイズよりも小さいことを特徴とする請求項１記載の装置。
【請求項５】
前記第一および第二のジェットアセンブリの各ノズルが、３つの異なるサイズのインク滴を噴出するように構成されていることを特徴とする請求項１記載の装置。
【請求項６】
前記第一および第二のジェットアセンブリの各ノズルが、サイズが３０ナノグラム、５０ナノグラム、または８０ナノグラムであるインク滴を噴出するように構成されていることを特徴とする請求項１記載の装置。
【請求項７】
前記第一および第二のアセンブリの各ノズルが、１０ナノグラムから３０ナノグラムのサイズを有するインク滴を噴出するように構成されていることを特徴とする請求項１記載の装置。
【請求項８】
前記第一のインク滴と前記第二のインク滴が、全体で５０ナノグラムの滴のサイズを有することを特徴とする請求項１記載の装置。
【請求項９】
前記第一および第二のジェットアセンブリの一列に並んだノズルが、前記処理方向に沿って５０ミリメートル離れた位置にあることを特徴とする請求項１記載の装置。
【請求項１０】
前記第一列のジェットアセンブリにおける前記ジェットアセンブリのそれぞれが、前記第二列のジェットアセンブリにおける少なくとも１つの前記ジェットアセンブリと、前記処理方向に対して垂直方向において、少なくとも部分的に重なることを特徴とする請求項１記載の装置。
【請求項１１】
前記第一列のジェットアセンブリにおける前記ジェットアセンブリのそれぞれが、前記第二列のジェットアセンブリにおける２つの前記ジェットアセンブリと、前記処理方向に対して垂直方向において、少なくとも部分的に重なることを特徴とする請求項１記載の装置。
【請求項１２】
前記第一列のジェットアセンブリにおける前記ジェットアセンブリのそれぞれが複数のノズルを有し、該第一列のジェットアセンブリにおける前記複数のノズルのそれぞれが、前記第二列のジェットアセンブリにおける対応するジェットアセンブリの対応するノズルと一列に並ぶことを特徴とする請求項１記載の装置。
【請求項１３】
前記ジェットアセンブリの前記第一列および第二列が、前記処理方向に対して垂直方向に、２５ミリメートルから１メートルの幅を有することを特徴とする請求項１記載の装置。
【請求項１４】
インク噴射装置と被印刷物とが処理方向に沿って相対移動する間に、インク滴を被印刷物上に形成する方法であって、前記インク噴射装置が二列のジェットアセンブリを備え、各列が２以上のジェットアセンブリを備え、前記二列が処理方向に対して垂直方向に少なくとも部分的に重なり、よって少なくとも一列の一端または両端にある１以上のノズルを除いて、前記ジェットアセンブリの各列のノズルのそれぞれが、該ジェットアセンブリの他方の列のジェットアセンブリの対応するノズルと、処理方向に沿って一列に並んで、一組の一列に並んだノズルを形成し、前記方法が、
（ａ）前記ジェットアセンブリの列の内の一方に沿った、一組の一列に並んだノズルに属する各ノズルに、前記非印刷物に所望のピクセルを形成するために前記ノズルが噴射する必要のあるインク滴より小さいサイズを有する第一のインク滴を噴射させるステップであって、前記列に沿った各ノズルが複数のサイズのインク滴を噴射するように構成されており、前記インク滴のサイズが、前記ノズルが噴射するように構成された最大インク滴サイズよりも小さいものであるステップ、
および
（ｂ）前記一組の一列に並んだノズルに属し、かつ前記ジェットアセンブリの他方の列に沿って配置されたノズルに、前記第一のインク滴と組み合わせて、所望のピクセルを形成するのに十分なサイズを有する、第二のインク滴を噴射させるステップであって、前記ジェットアセンブリの他方の列の各ノズルが複数のサイズのインク滴を噴射するように構成されているステップ、
を有することを特徴とする方法。
【請求項１５】
前記ステップ（ａ）が、前記非印刷物に所望のピクセルをプリントするために必要とされるサイズの半分のサイズを有する前記第一のインク滴を噴射することを特徴とする請求項１４記載の方法。
【請求項１６】
前記ステップ（ａ）が、前記非印刷物に所望のピクセルをプリントするために必要とされるサイズの１／３のサイズを有する前記第一のインク滴を噴射することを特徴とする請求項１４記載の方法。
【請求項１７】
前記第一のインク滴と前記第二のインク滴が、全体で５０ナノグラムの滴サイズを有することを特徴とする請求項１４記載の方法。
【請求項１８】
前記第二のインク滴のサイズが、前記ジェットアセンブリの第二列のそれぞれのノズルが噴射するように構成された最大インク滴サイズよりも小さいことを特徴とする請求項１４記載の方法。
【手続補正書】
【提出日】平成24年5月1日(2012.5.1)
【手続補正１】
【補正対象書類名】特許請求の範囲
【補正対象項目名】全文
【補正方法】変更
【補正の内容】
【特許請求の範囲】
【請求項１】
次の段階を、記載された順番で、室温及び周囲圧力において実行することを含む廃棄物処理方法であって、前記段階が、
感染した廃棄物を廃棄物処理システム内に密封する段階と、
前記感染した廃棄物を２．５４センチメートル×２．５４センチメートル平方以下の断面を備えた断片に切断し、従って前記廃棄物の表面を露出させる段階と、
前記廃棄物の断片を攪拌する段階と、この攪拌と同時に、接触すると病原体を殺す消毒剤を前記廃棄物の断片に噴霧する段階とを含み、従って前記廃棄物を消毒する、方法。
【請求項２】
前記廃棄物処理システムが、
装填室であって、（ａ）ユーザが廃棄物をその内部に入れることが可能な開状態と、廃棄物を前記システム内に密封する気密閉状態との間を移行する外側ドアと、（ｂ）廃棄物を置く表面を前記装填室内に提供する閉状態と、前記システム内での処理のために前記廃棄物を前記装填室から放出可能となる開状態との間を移行する内側ドアとを備えた装填室と、
前記装填室から廃棄物を受け取る切断システムであって、廃棄物を断面が６．４５１６平方センチメートルを超えない断片に切断するようサイズ決めされ、成形され、位置決めされたカッターを含む切断システムと、
前記装填室または前記切断システムに配置され、前記廃棄物処理システム内に空気流を通過させる空気吸い込み口と、
前記切断システムから廃棄物の断片を受け取ると共に、１つまたは複数の消毒剤導入口を含む溝槽と、
消毒剤を前記溝槽内の廃棄物の断片に噴霧するための、前記１つまたは複数の消毒剤導入口と流体連通した消毒剤源と、
消毒剤が噴霧された廃棄物の断片を前記溝槽から受け取る湿潤トンネルと、
前記湿潤トンネルから廃棄物を受け取ると共に、バルク廃棄物物質から粒子状廃棄物物質を分離する分離器と、
前記分離器から粒子状廃棄物物質を受け取り且つ捕捉するフィルタシステムと、
前記分離器からバルク廃棄物物質を受け取り且つ貯蔵する受け取り貯蔵容器と、
前記フィルタシステムと、前記湿潤トンネルと、前記溝槽と、前記第２工程切断システムと、前記第１工程切断システムと、前記装填室とに十分な真空を掛け、廃棄物を吸引してそれらを通過させる循環装置とを含む、請求項１に記載の方法。
【請求項３】
密封する前記段階が、
感染した廃棄物を前記装填室内に入れる段階と、
前記装填室の外側ドアを閉じ、従って前記感染した廃棄物を前記廃棄物処理システム内に密封する段階と、
前記装填室内側ドアを開け、従って前記感染した廃棄物を前記装填室から放出し、前記第１工程切断システムに接触させる段階とを含み、
切断し、露出させる前記段階が、感染した廃棄物に対して前記切断システムを動作させ、それを６．４５１６平方センチメートル以下の断面を備えた断片に切断し、該断片を前記溝槽に送る段階を含み、
攪拌する前記段階が、前記フィルタシステムと、前記湿潤トンネルと、前記溝槽と、前記第２工程切断システムと、前記第１工程切断システムとに十分な真空を掛け、廃棄物を吸引してそれらを通過させるように前記循環装置を動作させる段階と、
噴霧する前記段階が、前記感染した廃棄物断片が前記溝槽を通過するときに消毒剤を前記溝槽内に噴霧し、従って前記廃棄物の断片に消毒剤を被覆し、それらを消毒する段階を含む、請求項２に記載の方法。
【請求項４】
前記廃棄物断片を、前記溝槽を介して、さらに前記湿潤トンネルを介して前記分離器内に吸引する段階をさらに含む、請求項３に記載の方法。
【請求項５】
前記分離器が受け取った物質を、消毒済みの粒子状廃棄物物質と消毒済みバルク廃棄物物質とに分離する段階をさらに含む、請求項４に記載の方法。
【請求項６】
バルク廃棄物物質を前記受け取り貯蔵容器内に送る段階をさらに含む、請求項５に記載の方法。
【請求項７】
粒子状廃棄物物質を前記フィルタシステム内に捕捉する段階をさらに含む、請求項６に記載の方法。
【請求項８】
前記循環装置が前記装填室に前記真空を掛ける、請求項３に記載の方法。
【請求項９】
前記消毒剤がアルカリ性溶液を含む、請求項１に記載の方法。
【請求項１０】
前記消毒剤は窯灰の水溶液または懸濁液を含む、請求項９に記載の方法。
【請求項１１】
前記アルカリ性溶液のｐＨが少なくとも１２である、請求項９に記載の方法。
【請求項１２】
前記アルカリ性溶液が酸化カルシウムの１０％水溶液を含む、請求項９に記載の方法。
【請求項１３】
前記消毒剤が乾燥粉体として提供され、前記廃棄物の断片に噴霧される直前に水と混合されて水溶液を形成する、請求項１に記載の方法。
【請求項１４】
前記湿潤トンネルは、その内部で消毒剤を廃棄物の断片に噴霧するための１つまたは複数の消毒剤導入口を含み、前記方法は、前記廃棄物の断片が前記湿潤トンネルで攪拌されているときに、前記廃棄物の断片に消毒剤を噴霧する段階をさらに含む、請求項２に記載の方法。
【請求項１５】
前記装填室外側ドア及び前記装填室内側ドアは、何れか一方のみが任意時間に開状態となるよう連動されている、請求項２に記載の方法。